(57)【要約】【課題】開封が容易で簡単な構造の液体状または半固形状物の収納容器を提供する。【解決手段】収納容器１の容器本体２は、液体状またはゲル状（半固形状）の内容物が充填される中空状の収納部２ａと、収納部２ａの一端に一体形成され収納部２ａの内部と連通するノズル部２ｂとを有する。ノズル部２ｂの長手方向中央部からやや先端寄りには、ノズル部２ｂの周方向に薄肉部４が形成されている。薄肉部４を挟んでノズル部２ｂの収納部２ａ側の外周面には、ノズル部２ｂの周方向において薄肉部４と重なる位置に第１指掛け片５ａが形成され、薄肉部４を挟んでノズル部２ｂの先端部８側の外周面には、第１指掛け片５ａと略同一方向に突出する第２指掛け片５ｂが形成されている。【選択図】図１
2014114015.tif 000002
【特許請求の範囲】
【請求項１】
液体状または半固形状の内容物を収納する中空状の収納部と、
該収納部の一端に一体形成され前記収納部の内部と連通するとともに先端部が封止された筒状のノズル部と、
を有する収納容器であって、
前記ノズル部には、外周面の一部を除いて周方向に連続する薄肉部が形成されており、前記薄肉部を挟んで前記ノズル部の前記収納部側の外周面には前記ノズル部の周方向において前記薄肉部と重なる位置に第１指掛け片が形成され、前記薄肉部を挟んで前記先端部側の外周面には前記第１指掛け片と略同一方向に突出する第２指掛け片が形成されることを特徴とする収納容器。
【請求項２】
前記先端部は、前記薄肉部に沿って前記ノズル部を破断することにより開口部を形成した状態で一部分が前記ノズルに連結されており、前記先端部を前記ノズル部に沿って折り曲げた状態で係止するための係止機構を設けたことを特徴とする請求項１に記載の収納容器。
【請求項３】
前記ノズル部の外周面には平坦面が形成されており、前記薄肉部は前記平坦面の少なくとも一部を除く前記ノズル部の周方向に連続して形成されることを特徴とする請求項２に記載の収納容器。
【請求項４】
前記係止機構は、前記薄肉部を挟んで前記ノズル部の前記収納部側または前記先端部側のいずれか一方の外周面に形成される凸部と、他方の外周面に形成され、前記先端部を前記ノズル部に沿って折り曲げた状態で前記凸部が係合可能な凹部とで構成されることを特徴とする請求項２又は請求項３に記載の収納容器。
【請求項５】
前記先端部を前記ノズル部に沿って折り曲げた状態で係止したとき、前記第１指掛け片と前記第２指掛け片とが前記ノズル部を挟んで反対方向に突出することを特徴とする請求項２乃至請求項４のいずれかに記載の収納容器。
【請求項６】
前記収納部の上方に前記ノズル部が一体形成され、前記収納部の下端部に開口が形成された容器本体と、前記開口の周縁に形成されたフランジ部に接着され前記容器本体を密封するシート状の底材とで構成されることを特徴とする請求項１乃至請求項５のいずれかに記載の収納容器。
【発明の詳細な説明】
【技術分野】
【０００１】
本発明は、薬剤、化粧品、調味料等の、液体状または半固形状の内容物を収納するとともに、容器から内容物を押し出して注出可能な液体状または半固形状物の収納容器に関するものである。
【背景技術】
【０００２】
従来、液体状またはゲル状の薬剤や化粧品、調味料等の、少量の液体状または半固形状の内容物を収納するとともに、容器に形成される開口部から内容物を押し出して使用する収納容器が広く用いられている。
【０００３】
例えば、特許文献１には、薬剤を密封収納した容器と、容器先端に取付けられたノズル状キャップ部とからなる寄生虫駆除用薬剤容器が開示されている。この薬剤容器は、使用時に容器の先端に取り付けられたノズル状キャップ部を強く締めることで、ノズル状キャップの底面の鋭利な部位が容器先端に開口部を形成し、ノズル状キャップの先端部から薬液を滴下することが可能となっている。
【先行技術文献】
【特許文献】
【０００４】
【特許文献１】特表２０１０−５２３４１７号公報
【発明の概要】
【発明が解決しようとする課題】
【０００５】
しかしながら、特許文献１の薬剤容器では、使用時にはキャップを強く締め付けて容器に開口部を形成する必要があり、開封作業が面倒である。また、容器とノズル状キャップ部とが別部材となっており、複雑な設計であって組み立て作業が煩雑であるためコストアップとなる。
【０００６】
なお、ここでは動物の皮膚に薬剤を塗布する薬剤容器を例に挙げて説明したが、人体に使用する薬剤や化粧品、調味料等を収納する収納容器においても同様の問題点があった。
【０００７】
本発明は上記問題点に鑑み、開封が容易で簡単な構造の液体状または半固形状物の収納容器を提供することを目的とする。
【課題を解決するための手段】
【０００８】
上記目的を達成するために本発明は、液体状または半固形状の内容物を収納する中空状の収納部と、該収納部の一端に一体形成され前記収納部の内部と連通するノズル部と、を有する収納容器であって、前記ノズル部には、外周面の一部を除いて周方向に連続する薄肉部が形成されており、前記薄肉部を挟んで前記ノズル部の前記収納部側の外周面には前記ノズル部の周方向において前記薄肉部と重なる位置に第１指掛け片が形成され、前記薄肉部を挟んでノズル部の先端部側の外周面には前記第１指掛け片と略同一方向に突出する第２指掛け片が形成されることを特徴としている。
【０００９】
また本発明は、上記構成の収納容器において、前記先端部は、前記薄肉部に沿って前記ノズル部を破断することにより開口部を形成した状態で一部分が前記ノズルに連結されており、前記先端部を前記ノズル部に沿って折り曲げた状態で係止するための係止機構を設けたことを特徴としている。
【００１０】
また本発明は、上記構成の収納容器において、前記ノズル部の外周面には平坦面が形成されており、前記薄肉部は前記平坦面の少なくとも一部を除く前記ノズル部の周方向に連続して形成されることを特徴としている。
【００１１】
また本発明は、上記構成の収納容器において、前記係止機構は、前記薄肉部を挟んで前記ノズル部の前記収納部側または前記先端部側のいずれか一方の外周面に形成される凸部と、他方の外周面に形成され、前記先端部を前記ノズル部に沿って折り曲げた状態で前記凸部が係合可能な凹部とで構成されることを特徴としている。
【００１２】
また本発明は、上記構成の収納容器において、前記先端部を前記ノズル部に沿って折り曲げた状態で係止したとき、前記第１指掛け片と前記第２指掛け片とが前記ノズル部を挟んで反対方向に突出することを特徴としている。
【００１３】
また本発明は、上記構成の収納容器において、前記収納部の上方に前記ノズル部が一体形成され、前記収納部の下端部に開口が形成された容器本体と、前記開口の周縁に形成されたフランジ部に接着され前記容器本体を密封するシート状の底材とで構成されることを特徴としている。
【発明の効果】
【００１４】
本発明の第１の構成によれば、使用前は収納容器が密封されているため内容物の漏出のおそれがなく、使用時には第１指掛け片、第２指掛け片を指で逆方向に押圧してノズル部の先端部を薄肉部に沿って捻り切ることにより、ノズル部を開封するための道具を用いることなく軽い力で開口部を簡単に形成することができる。
【００１５】
また、本発明の第２の構成によれば、上記第１の構成の収納容器において、開口部を形成した状態で先端部の一部分がノズル部に連結されているため、先端部を収納容器と共に廃棄することができ、収納容器から分離された先端部をペットや幼児が誤食するおそれもなくなる。また、先端部をノズル部に沿って折り曲げた状態で係止するための係止機構を設けることにより、内容物の注出時に先端部が揺動せず、内容物の注出を円滑に行うことができる。
【００１６】
また、本発明の第３の構成によれば、上記第２の構成の収納容器において、ノズル部の外周面に平坦面を形成するとともに、薄肉部を平坦面の少なくとも一部を除くノズル部の周方向に連続して形成することにより、先端部をノズル部の側面に沿って折り曲げたとき、平坦面がヒンジ部となって折り曲げられる。その結果、先端部を一定方向に安定して折り曲げることができ、係止機構によって先端部をノズル部に沿って確実に係止することができる。
【００１７】
また、本発明の第４の構成によれば、上記第２又は第３の構成の収納容器において、係止機構は、薄肉部を挟んでノズル部の収納部側または先端部側のいずれか一方の外周面に形成される凸部と、他方の外周面に形成され、先端部をノズル部に沿って折り曲げた状態で凸部が係合可能な凹部とで構成されることにより、先端部をノズル部に沿って係止するための係止機構を簡単な構成とすることができる。
【００１８】
また、本発明の第５の構成によれば、上記第２乃至第４のいずれかの構成の収納容器において、先端部をノズル部に沿って折り曲げた状態で係止したとき、第１指掛け片と第２指掛け片とがノズル部を挟んで反対方向に突出することにより、人或いは動物の皮膚に投与される薬剤をノズル部から押し出して直接塗布する場合、第１指掛け片及び第２指掛け片がノズル部の側方に生える毛を押さえる機能も有する。その結果、ノズル部から注出された薬剤をなるべく周囲の毛に付着させずに、皮膚に効率良く塗布することができる。
【００１９】
また、本発明の第６の構成によれば、上記第１乃至第５のいずれかの構成の収納容器において、収納部の上方にノズル部が一体形成され、収納部の下端部に開口が形成された容器本体と、開口の周縁に形成されたフランジ部に接着され容器本体を密封するシート状の底材とで収納容器を構成することにより、底材で形成される収納容器の底面がフラットな形状となり、収納容器はノズル部を上向きにして自立可能となる。そのため、開口部から内容物を漏出させずに開封後の収納容器を立てておくことができ、使い勝手が良くなる。
【図面の簡単な説明】
【００２０】
【図１】本発明の第１実施形態に係る収納容器１の外観斜視図
【図２】第１実施形態の収納容器１収納容器１を容器本体２と底材３とに分解した状態を示す側面図
【図３】第１実施形態の収納容器１のノズル部２ｂを薄肉部４で切断した部分断面図
【図４】第１実施形態の収納容器１の第１指掛け片５ａの片面を支えながら、第２指掛け片５ｂの反対側の面を押圧することにより、ノズル部２ｂの先端部８を薄肉部４に沿って捻り切る状態を示す斜視図
【図５】図４の状態から先端部８をノズル部２ｂの側面に沿って折り曲げて固定した状態を示す斜視図
【図６】第１実施形態の収納容器１を用いて動物の皮膚に寄生虫駆除剤を塗布する様子を示す斜視図
【図７】第１実施形態の収納容器１を構成するノズル部２ｂの断面形状の変形例を示す断面図
【図８】第１実施形態の収納容器１を構成するノズル部２ｂの断面形状の他の変形例を示す断面図
【図９】本発明の第２実施形態に係る収納容器１を開封し、先端部８をノズル部２ｂに沿って折り曲げた状態を示す側面図
【発明を実施するための形態】
【００２１】
以下、図面を参照しながら本発明の収納容器について説明する。図１は、本発明の第１実施形態に係る収納容器１の外観斜視図、図２は、第１実施形態の収納容器１を容器本体２と底材３とに分解した状態を示す側面図、図３は、第１実施形態の収納容器１のノズル部２ｂを薄肉部４で切断した部分断面図（図２のＡＡ′矢視断面図）である。収納容器１は、容器本体２と、容器本体２の底面の開口を封止する底材３とで構成されている。容器本体２は、液体状またはゲル状（半固形状）の内容物（ここでは寄生虫駆除剤）が充填される中空状の収納部２ａと、収納部２ａの一端に一体形成され収納部２ａの内部と連通するとともに先端部８が封止されたノズル部２ｂとを有し、収納部２ａの開口縁にはフランジ部２ｃが形成されている。
【００２２】
容器本体２は、ポリプロピレン、ポリエチレン、ポリスチレン等の熱可塑性樹脂の射出成形品（インジェクション成形品）が用いられる。なお、射出成形品に限らず、例えば、加熱軟化させた合成樹脂製のシートを金型（雄型若しくは雌型）に合わせて減圧吸引する真空成形法により形成された容器本体２を用いても良い。また、射出成形、真空成形以外の成形法としては、圧空成形（真空圧空成形、押出圧空成形、熱板圧空成形等）、プレス成形法等の周知の成形方法がコストも安価であり好ましい。
【００２３】
なお、必要に応じて、基材層、印刷層、バリア層、中間層、熱可塑性樹脂層、及びこれらの各層を接着するための接着層等から成る積層構造の容器本体２を用いることもできる。基材層を構成する材料としては、機械的、物理的、化学的等において優れた性質を有する合成樹脂を用いることができ、例えば、ポリエステル系、ポリアミド系、ポリプロピレン系、ポリアセタール系等の樹脂を用いることができる。基材層の厚さとしては基材としての強度、剛性などについて必要最低限に保持され得る厚さであればよく、コストなどを勘案して決定すれば良い。
【００２４】
印刷層は、容器本体２の表面に所望の印刷模様を形成するための層である。バリア層は、特に内包される内容物が水分や酸素により変質し易い場合、容器本体２に水蒸気バリア性、或いはガスバリア性を付与するものである。中間層は、耐ピンホール性、耐熱性、耐光性、品質保全性、作業性、衛生性等を付与するものである。熱可塑性樹脂層は、フランジ部２ｃと蓋材３とを熱融着するための層である。熱可塑性樹脂層としては、例えば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしこれらを混合した樹脂を使用することができる。
【００２５】
また、例えば加工性、耐熱性、耐候性、機械的性質、寸法安定性、抗酸化性、滑り性、離形性、難燃性、抗カビ性、電気的特性、強度その他を改良、改質する目的で、容器本体２の材料となる合成樹脂に、種々のプラスチック配合剤や添加剤等を添加することができる。一般的な添加剤としては、例えば、滑剤、架橋剤、酸化防止剤、紫外線吸収剤、光安定剤、充填剤、補強剤、帯電防止剤、顔料等を挙げることができ、更には、改質用樹脂等も使用することができる。
【００２６】
底材３は、容器本体２のフランジ部２ｃと熱接着することにより容器本体２を密封するシート状の部材であり、最内層となる熱可塑性樹脂層と、基材層とを少なくとも含む構成である。基材層、熱可塑性樹脂層を構成する材料としては、上述したような容器本体２の基材層、熱可塑性樹脂層に用いる各種樹脂を挙げることができる。
【００２７】
また、底材３の熱可塑性樹脂層と基材層との間に、底材３の表面に所望の印刷模様を形成するための印刷層や、底材３に酸素や水蒸気等のガスバリア性、遮光性、耐突き刺し性等を付与するための中間層を必要に応じて設けてもよい。中間層を構成する材料としては、例えば、アルミニウム等に代表される金属箔、あるいは、ポリビニルアルコール、エチレン−酢酸ビニル共重合体ケン化物、ポリ塩化ビニリデン等のフィルムやバリア性を有するポリアミドフィルム、あるいは、ポリエステル、ポリアミド、ポリエチレン，ポリプロピレン，エチレン−プロピレン共重合体等のポリオレフィン、ポリビニルアルコール等のフィルムにポリ塩化ビニリデンを塗工したフィルムないしはアルミニウム、酸化珪素、酸化アルミニウム、酸化インジウム、酸化錫、酸化ジルコニウム等の無機物の蒸着を施したフィルムなどを用いることができる。また、中間層を用いずに、酸素や水蒸気等のガスバリア性を付与するために、上記の基材層を構成するフィルムにポリ塩化ビニリデンの塗膜を形成したものや酸化珪素、酸化アルミニウム、酸化インジウム、酸化錫、酸化ジルコニウム等の無機物の蒸着層を形成したものを用いてもよい。
【００２８】
ノズル部２ｂの長手方向中央部からやや先端部８寄りには、ノズル部２ｂの周方向に薄肉部４が形成されている。図３に示すように、薄肉部４は断面視Ｃ形状に形成されており、ノズル部２ｂの外周面の一部（図３の右側面）には薄肉部４が形成されていない。薄肉部４に沿ってノズル部２ｂを破断することで、ノズル部２ｂの先端に開口部９（図５参照）が形成される。
【００２９】
薄肉部４を挟んでノズル部２ｂの収納部２ａ側の外周面には、フィン形状の第１指掛け片５ａが形成され、第１指掛け片５ａと反対側（ノズル部２ｂの中心を軸として点対称の位置）の外周面には凹部６が形成されている。第１指掛け片５ａは、ノズル部２ｂの周方向において薄肉部４と重なる位置（図３の左側）に形成されている。
【００３０】
一方、薄肉部４を挟んでノズル部２ｂの先端部８側の外周面には、第１指掛け片５ａと略同一方向に突出するフィン形状の第２指掛け片５ｂが形成され、第２指掛け片５ｂと反対側の外周面には凹部６に係合可能な凸部７が形成されている。第１指掛け片５ａと第２指掛け片５ｂの突出方向は必ずしも同一方向でなくても良く、例えば若干の角度を有していても後述する開口部９の形成、及び先端部８の折り曲げに支障はない。但し、第１指掛け片５ａと第２指掛け片５ｂが角度を有する場合、容器本体２を形成するための金型を割り型にする必要が生じるなど、金型の設計が複雑になる。また、容器本体２の成形性（成形効率や歩留まり等）も低下する。従って、第１指掛け片５ａと第２指掛け片５ｂが同一方向に突出する構成が好ましい。
【００３１】
収納容器１の製造方法の一例としては、先ず、溶融状態の熱可塑性樹脂を低温の金型内に高圧で射出して固化させることにより、下端部が開口した中空状の容器本体２（収納容器１の半製品）を成型する。次に、容器本体２の下端部から所定量の内容物を充填した後、ヒートシールや超音波シール等で底材３をシールすることにより、内容物が充填された収納容器１の完成品が製造される。
【００３２】
収納容器１内の内容物を使用する場合は、一方の手で容器本体２を把持し、図４に示すように、他方の手の人差し指で第１指掛け片５ａの片面（図４の紙面裏側の面）を支えながら、親指で第２指掛け片５ｂの反対側の面（図４の紙面表側の面）を押圧する。これにより、ノズル部２ｂの先端部８が薄肉部４に沿って捻り切られて開口部９（図５参照）が形成される。このとき、先端部８は容器本体２から完全には切り離されず、薄肉部４が形成されていない部分（図３の右側面）で連結されている。
【００３３】
そして、図５に示すように、先端部８をノズル部２ｂの側面に沿って折り曲げ、先端部８の凸部７を凹部６に係合することで先端部２ｂが固定される。その後、収納部２ａを押圧することにより、開口部９から薬剤が注出される。
【００３４】
図６は、本実施形態の収納容器１を用いて動物の皮膚に寄生虫駆除剤を塗布する様子を示す斜視図である。先ず、図５の状態にした収納容器１を把持し、動物の毛を掻き分けて塗布する部分の皮膚を露出させる。そして、寄生虫駆除剤を塗布する部分に開口部９を押し当てた状態で容器本体２を押圧し、適量の寄生虫駆除剤を注出して塗布する。
【００３５】
本実施形態の収納容器１では、使用前は容器本体２が密封されているため、容器本体２から内容物が漏出するおそれがない。そして、使用時には第１指掛け片５ａ、第２指掛け片５ｂを指で逆方向に押圧してノズル部２ｂの先端部８を捻り切ることにより、収納容器１を開封するための道具を用いることなく軽い力で開口部９を簡単に形成することができる。また、底材３で形成される容器本体２の底面がフラットな形状であるため、収納容器１はノズル部２ｂを上向きにして自立可能となっている。そのため、開口部９から内容物を漏出させずに開封後の収納容器１を立てておくことができ、使い勝手が良くなる。
【００３６】
また、先端部８は、開口部９を形成した後もノズル部２ｂに連結された状態であるため、容器本体２と共に廃棄することができ、誤ってペットや幼児が食べてしまうおそれもなくなる。さらに、先端部８の側面に形成された凸部７を凹部６に係合することで、開口部８を形成した後の先端部８をノズル部２ｂに沿って固定することができる。そのため、内容物の注出時に先端部８が揺動せず、内容物の注出を円滑に行うことができる。
【００３７】
なお、図５に示すように先端部８をノズル部２ｂに沿って固定したとき、第１指掛け片５ａ、第２指指掛け片５ｂが開口部９（ノズル部２ｂ）の両側に突出する。この第１指掛け片５ａ、第２指指掛け片５ｂは、図６のように動物の皮膚に寄生虫駆除剤を塗布する際に、寄生虫駆除剤を塗布する部分に開口部９を押し当てたとき、開口部９の側方に生える毛を押さえる機能も有している。その結果、容器本体２から注出された寄生虫駆除剤をなるべく周囲の毛に付着させずに、皮膚に効率良く塗布することができる。
【００３８】
図７及び図８は、第１実施形態の収納容器１を構成するノズル部２ｂの変形例を示す断面図である。図７の構成では、ノズル部２ｂが断面三角形状であり、薄肉部４は三角形の二辺に沿って形成されている。図８の構成では、ノズル部２ｂが断面Ｄ形状（円形の一部が欠けた形状）であり、薄肉部４はＤ形状の円弧部分に沿って形成されている。
【００３９】
図７及び図８に示す構成は、いずれもノズル部２ｂの外周面の薄肉部４が形成されていない部分が平坦面１０となっている。この構成によれば、図５に示すように先端部８をノズル部２ｂの側面に沿って折り曲げたとき、平坦面１０がヒンジ部となって折り曲げられる。その結果、先端部８を一定方向（垂直下向き）に安定して折り曲げることができ、先端部８に形成された凸部７を凹部６に確実に係合させることができる。
【００４０】
図９は、本発明の第２実施形態に係る収納容器１を開封し、先端部８をノズル部２ｂに沿って折り曲げた状態を示す側面図である。図９に示すように、本実施形態の収納容器１は、第１実施形態に比べてノズル部２ｂが長く、薄肉部４はノズル部２ｂの長手方向中央部よりも収納部２ａ寄りに形成されている。そして、先端部８の長さが底板３から開口部９までの長さと略同一に設定されている。また、底板３には先端部８を折り曲げ状態で固定する係合部１１が設けられている。
【００４１】
本実施形態の構成によれば、先端部８をノズル部２ｂに沿って折り曲げた後、係合部１１に係合させることで、第１実施形態と同様に内容物の注出時に先端部８が揺動せず、内容物の注出を円滑に行うことができる。なお、本実施形態においても、図７及び図８に示したように、ノズル部２ｂの断面形状を三角形状やＤ形状として外周面に平坦面１０を有する形状とし、平坦面１０をヒンジ部として先端部８を折り曲げる構成が好ましい。
【００４２】
その他本発明は、上記各実施形態に限定されず、本発明の趣旨を逸脱しない範囲で種々の変更が可能である。例えば、上述した収納容器１の構成は好ましい一例に過ぎず、先端部８を固定するための凹部６及び凸部７、係合部１１は必須の構成要素ではない。また、上記の第１実施形態ではノズル部２ｂの収納部２ａ側に凹部６を設け、先端部８側に凸部７を設けたが、収納部２ａ側に凸部７を設け、先端部８側に凹部６を設けても良い。さらに、第１指掛け片５ａ、第２指掛け片５ｂの形状もフィン形状（平板状）に限らず、例えば棒状であっても良いし、収納部２ａの形状も図１や図９に示したような形状に限らず、例えば偏平状としても良い。
【００４３】
また、上記実施形態では、中空状の容器本体２と容器本体２の開口をシールする底材３とで収納容器１を構成したが、例えば容器本体２の開口から内容物を充填した後、ヒートシールや超音波シール等で開口をシールすることにより、収納容器１を１パーツで構成しても良い。
【産業上の利用可能性】
【００４４】
本発明は、液体状または半固体状の内容物を収納するとともに、容器から内容物を押し出して使用可能な収納容器に利用可能である。本発明の利用により、開封が容易で簡単な構造の収納容器を提供することができる。
【符号の説明】
【００４５】
１                    収納容器
２                    容器本体
２ａ                  収納部
２ｂ                  ノズル部
２ｃ                  フランジ部
３                    底材
４                    薄肉部
５ａ                  第１指掛け片
５ｂ                  第２指掛け片
６                    凹部（係止機構）
７                    凸部（係止機構）
８                    先端部
９                    開口部
１０                  平坦面
１１                  係合部（係止機構）
【図１】
2014114015.tif 000003
【図２】
2014114015.tif 000004
【図３】
2014114015.tif 000005
【図４】
2014114015.tif 000006
【図５】
2014114015.tif 000007
【図６】
2014114015.tif 000008
【図７】
2014114015.tif 000009
【図８】
2014114015.tif 000010
【図９】
2014114015.tif 000011